(57)【要約】【課題】目標時間で目標温度まで金属板を正確に昇温することができる金属板の定電流通電加熱方法を提供する。【解決手段】金属板の抵抗率ρと比熱Ｃとを温度Ｔの関数として近似し、それらの関数を用いて金属板に通電する電流Ｉと通電による金属板の温度上昇率との関係式を求める。この関係式から金属板を目標時間で目標温度まで昇温するに要する定電流の値を求め、この定電流を金属板に通電する。例えば実施例では、図４に示すように３秒で金属板を１０００℃にまで昇温することができる。【選択図】　　図４
2004055254.tif 000002
【特許請求の範囲】
【請求項１】
金属板の抵抗率と比熱とを温度の関数として近似し、それらの関数を用いて金属板に通電する電流と通電による金属板の温度上昇率との関係式を求め、この関係式から金属板を定電流通電により目標時間で目標温度まで昇温するに要する定電流の値を求め、この定電流を金属板に通電することを特徴とする金属板の定電流通電加熱方法。
【発明の詳細な説明】
【０００１】
【発明の属する技術分野】
本発明は、鋼板等の金属板を目標温度にまで定電流で通電加熱する金属板の定電流通電加熱方法に関するものである。
【０００２】
【従来の技術】
鋼板などの金属板を温間プレスするに際しては金属板を適当な温度に加熱する必要があり、そのために従来から通電加熱方法が広く用いられている。金属板の通電加熱に当たって、従来は作業者が金属板の寸法、目標温度、加熱時間等に応じて経験的に電流値を設定して金属板に供給していたので、最適な電流値を設定するまでに試行錯誤を要していた。また、金属板の材質や寸法が変更された場合にも、新たに最適な電流値を設定し直す必要があり、そのために加熱温度がばらついたりする問題があった。
【０００３】
【発明が解決しようとする課題】
本発明は上記した従来の問題点を解決して、経験や試行錯誤に頼ることなく、金属板に定電流を通電して目標時間で目標温度まで精度よく昇温することができる金属板の定電流通電加熱方法を提供するためになされたものである。
【０００４】
【課題を解決するための手段】
上記の課題を解決するためになされた本発明の金属板の定電流通電加熱方法は、金属板の抵抗率と比熱とを温度の関数として近似し、それらの関数を用いて金属板に通電する電流と通電による金属板の温度上昇率との関係式を求め、この関係式から金属板を定電流通電により目標時間で目標温度まで昇温するに要する定電流の値を求め、この定電流を金属板に通電することを特徴とするものである。
【０００５】
本発明の金属板の定電流通電加熱方法によれば、金属板を目標時間で目標温度まで昇温するに要する定電流の値を予め計算により正確に求めることができるので、この値の定電流を金属板に通電することよって金属板を目標温度に精度よく昇温することができる。このため金属板の材質や寸法が変更された場合にも、直ちに電流値を適切な値に変更することができ、無駄が生ずることがない。
【０００６】
【発明の実施の形態】
以下に、本発明の好ましい実施形態を説明する。
図１は本発明を実施するための通電加熱装置の一例を示す概略図であって、電極１、１間に支持された金属板に電源装置２から電流が通電され、ジュール熱で加熱される。本発明では予め計算された定電流が金属板に通電され、目標時間で目標温度にまで加熱する。このための定電流値の計算は以下のようにして行なう。
【０００７】
本発明の金属板の定電流通電加熱方法においては、金属板の寸法と物性（抵抗率、比熱、比重）、目標温度、加熱時間から電流値を決定する。すなわち、金属板の寸法と電流値と抵抗率（体積抵抗率）から金属板に供給される電気エネルギーを求め、この電気エネルギーと比熱と質量から電流と金属板の温度上昇率との関係式を求め、この関係式により必要な電流値を演算して、この値の電流を金属板に通電する。ここで、抵抗率と比熱は温度に依存して変化するので、演算に用いる抵抗率と比熱は温度の関数として近似したものを用いる。以下、鋼板を例に本発明における電流値の演算方法を説明する。なお、以下の計算においては放射による抜熱は小さいので無視している。
【０００８】
先ず、金属板の抵抗を温度の関数として近似する。抵抗（Ω）をＲ、抵抗率（Ω・ｍ）をρ、金属板の長さ（ｍ）をｌ、金属板の断面積（ｍ２）をαとすると、Ｒ＝ρｌ／αとなる。抵抗率の温度との関係は図２に示すとおりであって、この抵抗率は温度Ｔの関数としてρ＝ａＴ２＋ｂＴ＋ｃの２次関数で近似できる。ここで、ａ＝０．００００８７５＊１０−８、ｂ＝０．０５１＊１０−８、ｃ＝８．７３＊１０−８である。また比熱の温度との関係は図３に示すとおりであって、この比熱Ｃ（Ｊ／ｋｇ・Ｋ）は、一次式Ｃ＝ｐＴ＋ｑで近似することができる。ここで、ｐ＝０．４４９、ｑ＝４３２である。
【０００９】
さて、抵抗Ｒの金属板に電流Ｉが通電された時に金属板に投入される電気エネルギーＰ（Ｗ）は、Ｐ＝ＲＩ２＝ρ（ｌ／α）Ｉ２と表される。以下に、定電流抵抗加熱について、時間と温度との関係を数学的に求める。
【００１０】
比熱Ｃの金属板に電気エネルギーＰが与えられることによる昇温速度は、ｄＴ／ｄｔ＝Ｐ／（ｍ＊Ｃ）で与えられる。ｍは金属板の質量（ｋｇ）である。この式のＰ，Ｃに上記の各式を代入すると、数１の通りとなる。
【数１】
2004055254.tif 000003
ただしＩは電流（Ａ）、Ｔは温度（℃）、ｔは時間（秒）である。ここで、Ａ＝ｍα／（ｌ＊Ｉ２）とすると、数２の通りとなる。
【数２】
2004055254.tif 000004
【００１１】
この式の両辺を積分して時間ｔを求めると、数３の通りとなる。この式は金属板の抵抗率及び比熱を温度の関数として近似したうえで、昇温時間ｔを金属板の寸法と電流値および目標温度から求めたものである。
【数３】
2004055254.tif 000005
【００１２】
この式より電流Ｉは下記の数４をもって表すことができる。
【数４】
2004055254.tif 000006
このようにして計算された定電流値を金属板に所定時間ｔだけ通電すれば、金属板を目標温度にまで精度よく昇温することができる。なお、電源装置２に上記の演算式を記憶させたコンピュータを接続しておき、必要な項目を入力するだけで直ちに定電流値を求めることができるようにしておくことが望ましい。
【００１３】
【実施例】
以上に説明した本発明の効果を確認するために、長さ０．２ｍ、幅０．０８ｍ、厚さ０．００３２ｍの鋼板に定電流を通電して３秒にて１０００℃まで通電加熱した。金属板の寸法、目標時間、目標温度から上記の式により演算した定電流値は、１４１８１Ａであった。この値の電流を鋼板に通電した時の鉄板温度の時間変化を図４に示すが、予定どおり３秒の通電加熱により鉄板を１０００℃に正確に昇温することができた。
【００１４】
【発明の効果】
以上に説明したように、本発明の金属板の定電流通電加熱方法は、金属板の抵抗率と比熱とを温度の関数として近似し、それらの関数を用いて金属板に通電する電流と通電による金属板の温度上昇率との関係式を求めるので、この関係式から金属板を目標時間で目標温度まで昇温するに要する定電流の値を正確に求めることができる。このため、この値の定電流を金属板に通電することによって金属板を目標温度に精度よく昇温することができる。したがって本発明によれば、金属板のサイズや品種が変わった場合にも、作業者は最適な定電流値を演算して通電することができるので、金属板の通電加熱を常に極めて高精度に行うことができる。
【図面の簡単な説明】
【図１】本発明の実施に用いる通電加熱装置の概略図である。
【図２】抵抗率と温度との関係を示すグラフである。
【図３】比熱と温度との関係を示すグラフである。
【図４】定電流加熱における金属板の温度の時間変化を示すグラフである。
【符号の説明】
１　電極
２　電源装置
【図１】
2004055254.tif 000007
【図２】
2004055254.tif 000008
【図３】
2004055254.tif 000009
【図４】
2004055254.tif 000010